(57)【要約】      （修正有）【課題】段ボール箱の中でのトリガー式スプレーボトルの動きを抑制できる組仕切り、包装資材セット及び包装容器を提供する。【解決手段】複数のトリガー式スプレーボトルを収容する段ボール箱中に配設されるトリガー式スプレーボトル用組仕切りであって、格子状に結合される複数の第１仕切板５と１又は複数の第２仕切板６とを備え、第１仕切板の上辺に、トリガー式スプレーボトルのトリガーの下端よりも後方かつボトル本体の頸部よりも前方でスプレーヘッドに係合可能な複数の切り欠き部を有する。第１仕切板及び第２仕切板の結合構造が、第１仕切板の上端から下方に形成される第１スリットと、第２仕切板の下端から上方に形成される第２スリットとを互いに差し込むことで形成されているとよい。【選択図】図１
0003185873.tif 000002
【実用新案登録請求の範囲】
【請求項１】
複数のトリガー式スプレーボトルを収容する段ボール箱中に配設されるトリガー式スプレーボトル用組仕切りであって、
格子状に結合される複数の第１仕切板と１又は複数の第２仕切板とを備え、
上記第１仕切板の上辺に、上記トリガー式スプレーボトルのトリガーの下端よりも後方かつボトル本体の頸部よりも前方でスプレーヘッドに係合可能な複数の切り欠き部を有することを特徴とするトリガー式スプレーボトル用組仕切り。
【請求項２】
上記第１仕切板及び第２仕切板の結合構造が、第１仕切板の上端から下方に形成される第１スリットと、第２仕切板の下端から上方に形成される第２スリットとを互いに差し込むことで形成されている請求項１に記載のトリガー式スプレーボトル用組仕切り。
【請求項３】
上記第１仕切板が、上記第１スリットの延長線上に下端から形成される係合スリットを有し、
上記第２仕切板が、上記第２スリットの下端側に上記係合スリットに挿入される係合突起を有する請求項２に記載のトリガー式スプレーボトル用組仕切り。
【請求項４】
上記第１仕切板が、上部に指を挿入可能な穴部を有する請求項１、請求項２又は請求項３に記載のトリガー式スプレーボトル用組仕切り。
【請求項５】
請求項１から請求項４のいずれか１項に記載の組仕切りと、
上記第１仕切板と略等しい高さ及び幅を有する一対の第１側壁、及び上記第２仕切板と略等しい高さ及び幅を有する一対の第２側壁を有する段ボールと
を備える包装資材セット。
【請求項６】
請求項５の包装資材セットを組み立ててなり、
上記第１仕切板が上記第１側壁と略平行であり、かつ上記第２仕切板が上記第２側壁と略平行であるように上記段ボール箱の中に上記組仕切りが挿入されている包装容器。
【考案の詳細な説明】
【技術分野】
【０００１】
本考案は、組仕切り、包装資材セット及び包装容器に関する。
【背景技術】
【０００２】
複数の品物を梱包する段ボール箱には、例えば特開２０１０−１３２２９９号公報に記載されているように、品物の間を仕切る井桁状又は格子状の第２仕切板が挿入されることが多い。
【０００３】
トリガー式スプレーヘッド（トリガーノズル）がボトル本体の頸部の上端に取り付けられたトリガー式スプレーボトルを縦横に並べて段ボール箱に収容することもある。トリガー式スプレーボトルの中には、トリガーがボトル本体と干渉しないように、スプレーヘッドの先端がボトル本体よりも前方に突出しているものが少なくない。
【０００４】
従来の井桁状の組仕切りは、スプレーヘッドを含めたスプレーボトルの全体を収容できる角柱状の空間を形成するものとなるため、ボトル本体の周囲に空間ができる。このため、従来の組仕切を使用した箱では、輸送時にスプレーヘッドの向きを変化させるようにスプレーボトルが回転し得るので、スプレーヘッドの包装フィルム等の個別包装体に傷が付いたり、スプレーヘッドに取り付けたラベルが折れ曲がったりする危険性があった。最悪の場合、スプレーヘッドに作用する力によって、ボトル本体の頸部に螺号しているねじが緩んで液漏れを生じる可能性もあった。また、従来の井桁状の第２仕切板だけでは輸送中にスプレーヘッドの向きがバラバラになり、そのまま商品として陳列するには見た目が悪いという問題もあった。
【先行技術文献】
【特許文献】
【０００５】
【特許文献１】特開２０１０−１３２２９９号公報
【考案の概要】
【考案が解決しようとする課題】
【０００６】
そこで、本考案は、段ボール箱の中でのトリガー式スプレーボトルの動きを抑制できる組仕切り、包装資材セット及び包装容器を提供することを課題とする。
【課題を解決するための手段】
【０００７】
上記課題を解決するためになされた考案は、複数のトリガー式スプレーボトルを収容する段ボール箱中に配設されるトリガー式スプレーボトル用組仕切りであって、格子状に結合される複数の第１仕切板と１又は複数の第２仕切板とを備え、上記第１仕切板の上辺に、上記トリガー式スプレーボトルのトリガーの下端よりも後方かつボトル本体の頸部よりも前方でスプレーヘッドに係合可能な複数の切り欠き部を有することを特徴とする。
【０００８】
当該組仕切りは、第１仕切板と第２仕切板とを縦横に組み合わせて、各スプレーボトルの動きを制限すると共に、第１仕切板に設けた切り欠き部がスプレーヘッドに係合してスプレーヘッドの向きを規制する。これにより、スプレーボトルが縦横に整列し、それらのスプレーヘッドがすべて同じ方向きを向いた状態に保持できると共に、スプレーボトルのラベル及び個別包装体の傷付き並びにスプレーヘッドの緩みを防止できる。また、第１仕切板の切り欠き部がトリガーとボトル本体の間でスプレーノズルに下側から係合しているので、第１仕切板を持ち上げれば複数のスプレーボトルを第１仕切板にぶら下がるようにして持ち上げられる。
【０００９】
また、当該組仕切りは、上記第１仕切板及び第２仕切板の結合構造が、第１仕切板の上端から下方に形成される第１スリットと、第２仕切板の下端から上方に形成される第２スリットとを互いに差し込むことで形成されているとよい。このように構成すれば、第１仕切板を持ち上げることで、第１仕切板の切り欠き部にスプレーノズルが係合している複数のスプレーボトルと、第１スリットに差し込まれている第２仕切板とを同時に持ちあげられる。
【００１０】
当該組仕切りは、上記第１仕切板が、上記第１スリットの延長線上に下端から形成される係合スリットを有し、上記第２仕切板が、上記第２スリットの下端側に上記係合スリットに挿入される係合突起を有するとよい。係合突起が係合スリットに係合することによって第１スリットと第２スリットとを噛み合わせた状態を保持できるので、第１仕切板及び第２仕切板のいずれを持ち上げても組仕切り全体が一体に持ち上げられる。従って、いずれか一枚の第１仕切板又は第２仕切板を把持するだけですべてのスプレーボトルを同時に持ち上げられるので、スプレーボトルを段ボール箱から容易に取り出せる。
【００１１】
また、当該組仕切りは、上記第１仕切板又は上記第２仕切板が、指を挿入できる穴部を有するとよい。穴部に指をかければ第１仕切板又は第２仕切板を簡単に持ち上げられるので、スプレーボトルを段ボール箱から容易に取り出せる。
【００１２】
また、上記課題を解決するためになされた別の考案は、上記組仕切りと、上記第１仕切板と略等しい高さ及び幅を有する一対の第１側壁、及び上記第２仕切板と略等しい高さ及び幅を有する一対の第２側壁を有する段ボールとを備える包装資材セットである。当該包装資材セットを用いれば、段ボール箱の中に、上記組仕切りによってスプレーボトルを向きが揃った整列状態に収容できるので、スプレーボトルのラベルや個別包装体の傷付きを防止できるとともに、開封したままの状態でスプレーボトルの向きが揃った商品展示が可能である。
【００１３】
また、上記課題を解決するためになされた他の考案は、上記包装資材セットを組み立ててなり、上記第１仕切板が上記第１側壁と略平行であり、かつ上記第２仕切板が上記第２側壁と略平行であるように上記段ボール箱の中に上記組仕切りが挿入されている包装容器である。当該包装容器は、上記組仕切りによってスプレーボトルを向きが揃った整列状態に収容できるので、スプレーボトルのラベルや個別包装体の傷付きを防止できるとともに、開封したままの状態でスプレーボトルの向きが揃った商品展示が可能である。
【考案の効果】
【００１４】
以上のように、本考案によれば、スプレーヘッドに嵌合する第１仕切板によってスプレーボトルの動きを抑制できる。これにより、ラベルや個別包装体の傷付きを防止できるとともに、段ボール箱の中でスプレーボトルの向きが揃った状態を維持できる。
【図面の簡単な説明】
【００１５】
【図１】本考案に係る包装容器を示す斜視図である。
【図２】図１の包装容器のスプレーボトルを収容した状態を示す断面図である。
【図３】図１の包装容器の組仕切りを取り出して示す斜視図である。
【図４】図３の組仕切りの第１仕切板の正面図である。
【図５】図３の組仕切りの第２仕切板の正面図である。
【図６】図５の包装容器から組仕切りごと取り出したスプレーボトルを示す側面図である。
【考案を実施するための形態】
【００１６】
以下、適宜図面を参照しつつ、本考案の実施の形態を詳説する。
【００１７】
図１の包装容器１は、一枚の段ボール紙からなる段ボール箱２と、段ボール箱２の中に配設され、複数の段ボール紙を組み合わせ構成した組仕切り３とからなっている。この包装容器１は、図２に示すように、複数のトリガー式スプレーボトル４を収容して輸送するために使用される。
【００１８】
段ボール箱２は、いわゆるＡ式（ミカン箱タイプ）の段ボール箱であり、それぞれ互いに平行な一対の第１側壁２ａ及び一対の第２側壁２ｂと、第１側壁２ａの上下に延設された一対の外フラップ２ｃと、第２側壁２ｂ上下に延設された一対の内フラップ２ｄとを有する。このような段ボール箱２を構成するための段ボール箱用シートの形状は、ＪＩＳ  Ｚ１５０６等の規定に準拠することが好ましく、公知の形状であるため、詳細な説明及び図示を省略する。
【００１９】
上記段ボール箱２の内部に組仕切り３を配設した包装容器１の中に複数のスプレーボトル４を収容したなら、包装容器１は、段ボール箱２の内フラップ２ｄ及び外フラップ２ｃで上下を封止した状態で、粘着テープ等によって封函される。
【００２０】
組仕切り３は、図３に示すように、互いに略平行に直立して配置された三枚の第１仕切板５と、直立してこれらの第１仕切板５に格子状に結合された一枚の第２仕切板６とを備える。図１に示すように、第１仕切板５は、段ボール箱２の第１側壁２ａと略同じ高さ及び幅を有し、包装容器１において第１側壁２ａと略平行に配置される。第２仕切板６は、段ボール箱２の第２側壁２ｂと略同じ高さ及び幅を有し、包装容器１において第２側壁２ｂと略平行に配置される。より詳しくは、第１仕切板５及び第２仕切板６は、段ボール箱２の第１側壁２ａ及び第２側壁２ｂに対して、ＪＩＳ  Ｚ１５０７等に規定されるような僅かな寸法差を有する。
【００２１】
なお、本願考案では、上記段ボール箱２と上記組仕切り３をとの組み合わせを包装資材セットと呼んで、段ボール箱２の中に組仕切り３を配設して組み立てた後の包装容器１と区別している。
【００２２】
スプレーボトル４は、ボトル本体７にスプレーヘッド８を取り付けてなる。ボトル本体７は、縮径した頸部７ａを有する。スプレーヘッド８は、ボトル本体７の頸部７ａの上端に螺合するキャップ部８ａと、キャップ部８ａの上に設けられたヘッド本体部８ｂと、ヘッド本体部８ｂから下方に延出するトリガー８ｃとを有する。
【００２３】
各第１仕切板５は、一枚の段ボール紙からなり、図４に示すように、上片にスプレーヘッド８に係合可能な４つの切り欠き部９と、人が指を挿入できる穴部１０と、上端から下方に向けて略中央まで直線的に形成された第１スリット１１と、この第１スリット１１の延長線上の下端から上方に向けて形成された係合スリット１２とを有する。
【００２４】
切り欠き部９は、第１仕切板５の上縁から下方に向かう一対の本体エッジ９ａと、本体エッジ９ａの下端から屈曲してさらに下方に向かう一対のトリガーエッジ９ｂと、両トリガーエッジ９ｂの下端を接続する奥部エッジ９ｃとからなる二段の切り欠きである。本体エッジ９ａは、下方に向けて徐々に幅が狭くなり、下端において略鉛直となってスプレーヘッド８のヘッド本体部８ｂが嵌合する幅を有すように内側に緩やかな凸状に形成されている。トリガーエッジ９ｂは、上端部において幅を減じてヘッド本体部８ｂのさらなる侵入を防ぐように内側に傾斜し、かつ下方において略鉛直となって遊びを持ってトリガーを受け入れられる間隔を有するように内側に緩やかな凸状に形成されている。奥部エッジ９ｃは、スプレーヘッド８のトリガー８ｃの下端よりも高い位置に形成されている。
【００２５】
穴部１０は、略馬蹄形状の切り込み部１０ａと、切り込み１０ａの両端を接続する折り曲げ容易部１０ｂとからなり、折り曲げ容易部１０ｂを折り曲げることで指を挿入可能な開口を形成できる。
【００２６】
第２仕切板６は、図５に示すように、下端から上方に向けて略中央まで直線的に形成された第２スリット１３と、第２スリット１３の下端部に突出した係合突起１４と、係合突起１４の反対側において第２スリット１３に斜めに接続する傾斜エッジ１５と、上端から下方に切り欠かれて構成された窓部１６とを有する。
【００２７】
第１仕切板５と第２仕切板６とは、第１スリット１１と第２スリット１３を互いに差し込んで、第２スリット１３の奥部に第１スリット１１の奥部を受け入れるようにして互いに咬合する。第１仕切板５の第１スリット１１と係合スリット１２との間のシート部分は、第２仕切板６の係合突起１４を避けるように傾斜エッジ１５側に一時的に湾曲して差し込まれ、係合スリット１２に係合突起１４が挿入されて係合する。これにより、単純に第２仕切板６を上方に引っ張り上げても第２仕切板６を第１仕切板５から脱離させず、組仕切り３の組み立て状態を維持できる。
【００２８】
図１に示す状態の当該包装容器１において、当該組仕切り３の第１仕切板５及び第２仕切板６によって縦横に区切られた個々の空間に、スプレーボトル４のボトル本体７を収容する。このとき、スプレーボトル４は、図２に示すように、スプレーヘッド８のノズル本体８ｂの先端部及びトリガー８ｃの下端部が切り欠き部９を通して第１仕切板５の反対側に突出するように配置される。つまり、切り欠き部９は、トリガー８ｃの下端よりも後方かつボトル本体７の頸部７ａよりも前方においてスプレーヘッド８に係合する。
【００２９】
当該包装容器１に収容されたスプレーヘッド８は、平面視で前後に僅かながら重なり合っている。つまり、第１仕切板５の間隔は、スプレーヘッド８の前後長よりも僅かに狭い。また、切り欠き部９の奥部エッジ９ｃがスプレーヘッド８のトリガー８ｃの下端よりも高い位置にある。これらの構成により、スプレーボトル４は、スプレーヘッド８を切り欠き部９から脱離させるほどには後退できない。
【００３０】
このように、当該包装容器１において、各スプレーボトル４は、スプレーヘッド８が第１仕切板５の切り欠き部９が嵌合することにより、同じ方向を向いた状態に維持される。また、スプレーヘッド８が大きく動かないため、スプレーヘッド８のラベルや個別包装体に傷が付きにくい。さらに、スプレーヘッド８が殆ど回転しないので、スプレーヘッド８のボトル本体７に対する緩みが生じにくい。
【００３１】
また、当該包装容器１は、各スプレーボトル４を一定の向きを向いた状態に保つので、段ボール箱２の側壁２ａ，２ｂを水平に切断して段ボール箱２をトレー状に開封すれば、そのまま、スプレーボトル４を商品として見栄えよく展示できる。このとき、第１仕切板５に形成した窓部１６は、スプレーボトル４の視認性及び取り出しやすさを促進する。
【００３２】
加えて、当該組仕切り３は、穴部１０に指を挿入していずれか一枚（好ましくは中央）の第１仕切板５を持ち上げることで、この第１仕切板５の第１スリット１１の奥部上に配置されている第２仕切板６が持ち上げられ、この第２仕切板６の係合突起１４の上に配置されている他の第１仕切板５が持ち上げられる。つまり、一枚の第１仕切板５を持ち上げれば、組仕切り３全体が持ち上げられる。
【００３３】
第１仕切板５を持ち上げると、切り欠き部９の奥部エッジ９ｃがトリガー８ｃの背面に沿って上方に移動する。第１仕切板５の上昇によりヘッド本体部８ｂが本体エッジ９ａの下端に達すると、ヘッド本体部８ｂがトリガーエッジ９ｂの上端部に支持されて持ち上げられる。結果として、図６に示すように、各スプレーボトル４が第１仕切板５にぶら下がるようにして持ち上げられる。このように、当該組仕切り３は、当該包装容器１に収容されているすべてのスプレーボトル４を同時に段ボール箱２から取り出すのに使用できる。
【００３４】
［その他の実施形態］
今回開示された実施の形態はすべての点で例示であって制限的なものではないと考えられるべきである。本考案の範囲は、上記実施形態の構成に限定されるものではなく、特許請求の範囲によって示され、特許請求の範囲と均等の意味及び範囲内での全ての変更が含まれることが意図される。
【００３５】
例えば、当該組仕切りにおいて、穴部が予め開口した完全な穴であってもよく、穴部が第２仕切板に設けられていてもよい。また、第１スリットを第２仕切板に形成すると共に第２スリットを第１仕切板に形成してもよい。さらに、当該組仕切りは、互いに平行に配置された複数の第２仕切板を備えてもよい。また、第１仕切板が第２仕切板によって段ボール箱の底から浮いた状態に支持されてスプレーヘッドのトリガーとボトル本体の頸部との間に挿入されてもよい。
【産業上の利用可能性】
【００３６】
以上のように、当該第２仕切板、当該包装資材セット及び当該包装容器は、複数のスプレーボトルを収容するために使用される。
【符号の説明】
【００３７】
１  包装容器
２  段ボール箱
２ａ，２ｂ  側壁
２ｃ  外フラップ
２ｄ  内フラップ
３  組仕切り
４  スプレーボトル
５  第１仕切板
６  第２仕切板
７  ボトル本体
７ａ  頸部
８  スプレーヘッド
８ａ  キャップ部
８ｂ  ノズル本体
８ｃ  トリガー
９  切り欠き部
９ａ  本体エッジ
９ｂ  トリガーエッジ
９ｃ  奥部エッジ
１０  穴部
１０ａ  切り込み部
１０ｂ  折り曲げ容易部
１１  第１スリット
１２  係合スリット
１３  第２スリット
１４  係止突起
１５  傾斜エッジ
１６  窓部
【図１】
0003185873.tif 000003
【図２】
0003185873.tif 000004
【図３】
0003185873.tif 000005
【図４】
0003185873.tif 000006
【図５】
0003185873.tif 000007
【図６】
0003185873.tif 000008